(57)【要約】【課題】ユーザプレーンのアップリンクとダウンリンクで別々にハンドオーバを実現させる。【解決手段】スモール基地局装置５が、端末装置１とマクロ基地局装置３間のユーザプレーンのアップリンクの受信強度が閾値未満から閾値超過に変化したことの測定報告をマクロ基地局装置３へ送信し、マクロ基地局装置３が測定報告によりユーザプレーンのアップリンクハンドオーバ要求をスモール基地局装置５へ送信し、スモール基地局装置５がアップリンクハンドオーバ要求によりユーザプレーンのアップリンクハンドオーバ応答をマクロ基地局装置３へ送信し、マクロ基地局装置３がアップリンクハンドオーバ応答により端末装置１へユーザプレーンのアップリンクハンドオーバ指示を送信し、端末装置１がアップリンクハンドオーバ指示によりユーザプレーンのアップリンクの基地局装置をマクロ基地局装置３からスモール基地局装置５へ切り替える。【選択図】図６
2019068193.tif 000002
【特許請求の範囲】
【請求項１】
第１基地局装置と、第２基地局装置と、端末装置とを備え、
前記第１基地局装置のセルは、前記第２基地局装置のセルの全て又は一部を包含し、
前記第２基地局装置は、
前記第１基地局装置との間でユーザプレーンのアップリンクの無線通信を行う前記端末装置の前記アップリンクの無線信号の自第２基地局装置における第１受信強度の測定を行う測定部と、
前記第１受信強度の測定結果が所定の第１閾値に対して第１閾値未満から第１閾値超過に変化した前記端末装置についての第１測定報告を前記第１基地局装置へ送信する測定報告部と、
前記第１基地局装置から受信する前記端末装置のユーザプレーンのアップリンクハンドオーバ要求に応じて、当該端末装置のユーザプレーンのアップリンクハンドオーバ応答を前記第１基地局装置へ送信する基地局制御部と、を備え、
前記第１基地局装置は、
前記第２基地局装置から受信する前記端末装置についての前記第１測定報告に応じて当該端末装置のユーザプレーンのアップリンクハンドオーバ要求を前記第２基地局装置へ送信し、当該アップリンクハンドオーバ要求に対するアップリンクハンドオーバ応答を前記第２基地局装置から受信すると、当該端末装置へユーザプレーンのアップリンクハンドオーバ指示を送信する基地局制御部を備え、
前記第１基地局装置との間でユーザプレーンのアップリンクの無線通信を行う前記端末装置は、
前記第１基地局装置から受信するユーザプレーンのアップリンクハンドオーバ指示に応じて、ユーザプレーンのアップリンクの無線通信を行う相手の基地局装置を前記第１基地局装置から前記第２基地局装置へ切り替えるハンドオーバを行い、ユーザプレーンのアップリンクハンドオーバ完了を前記第２基地局装置へ送信する端末制御部を備える、
無線通信システム。
【請求項２】
前記測定部は、自第２基地局装置との間でユーザプレーンのアップリンクの無線通信を行う前記端末装置の前記アップリンクの無線信号の自第２基地局装置における第２受信強度の測定を行い、
前記測定報告部は、前記第２受信強度の測定結果が前記第１閾値に対して第１閾値超過から第１閾値未満に変化した前記端末装置についての第２測定報告を前記第１基地局装置へ送信し、
前記第２基地局装置の前記基地局制御部は、前記第１基地局装置へ送信した前記第２測定報告の対象の前記端末装置のユーザプレーンのアップリンクハンドオーバ要求を、前記第１基地局装置へ送信し、当該アップリンクハンドオーバ要求に対するアップリンクハンドオーバ応答を前記第１基地局装置から受信すると、当該端末装置へユーザプレーンのアップリンクハンドオーバ指示を送信し、
前記第１基地局装置の前記基地局制御部は、前記第２基地局装置から受信する前記端末装置についての前記第２測定報告及び前記第２基地局装置から受信する当該端末装置のユーザプレーンのアップリンクハンドオーバ要求に応じて、当該端末装置のユーザプレーンのアップリンクハンドオーバ応答を前記第２基地局装置へ送信し、
前記第２基地局装置との間でユーザプレーンのアップリンクの無線通信を行う前記端末装置の前記端末制御部は、前記第２基地局装置から受信するユーザプレーンのアップリンクハンドオーバ指示に応じて、ユーザプレーンのアップリンクの無線通信を行う相手の基地局装置を前記第２基地局装置から前記第１基地局装置へ切り替えるハンドオーバを行い、ユーザプレーンのアップリンクハンドオーバ完了を前記第１基地局装置へ送信する、
請求項１に記載の無線通信システム。
【請求項３】
第１基地局装置と、第２基地局装置と、端末装置とを備え、
前記第１基地局装置のセルは、前記第２基地局装置のセルの全て又は一部を包含し、
前記第１基地局装置との間でユーザプレーンのダウンリンクの無線通信を行う前記端末装置は、
前記第２基地局装置から受信するユーザプレーンのダウンリンクの無線信号の自端末装置における第３受信強度の測定を行う測定部と、
前記第３受信強度の測定結果が所定の第２閾値に対して第２閾値未満から第２閾値超過に変化したことの第３測定報告を前記第１基地局装置へ送信する測定報告部と、
前記第１基地局装置から受信するユーザプレーンのダウンリンクハンドオーバ指示に応じて、ユーザプレーンのダウンリンクの無線通信を行う相手の基地局装置を前記第１基地局装置から前記第２基地局装置へ切り替えるハンドオーバを行い、ユーザプレーンのダウンリンクハンドオーバ完了を前記第２基地局装置へ送信する端末制御部と、を備え、
前記第１基地局装置は、
前記端末装置から受信する前記第３測定報告に応じて当該端末装置のユーザプレーンのダウンリンクハンドオーバ要求を前記第２基地局装置へ送信し、当該ダウンリンクハンドオーバ要求に対するダウンリンクハンドオーバ応答を前記第２基地局装置から受信すると、当該端末装置へユーザプレーンのダウンリンクハンドオーバ指示を送信する基地局制御部を備え、
前記第２基地局装置は、
前記第１基地局装置から受信する前記端末装置のユーザプレーンのダウンリンクハンドオーバ要求に応じて、当該端末装置のユーザプレーンのダウンリンクハンドオーバ応答を前記第１基地局装置へ送信する基地局制御部を備える、
無線通信システム。
【請求項４】
前記第２基地局装置との間でユーザプレーンのダウンリンクの無線通信を行う前記端末装置の前記測定部は、前記第２基地局装置から受信するユーザプレーンのダウンリンクの無線信号の自端末装置における第４受信強度の測定を行い、
当該端末装置の前記測定報告部は、前記第４受信強度の測定結果が前記第２閾値に対して第２閾値超過から第２閾値未満に変化したことの第４測定報告を前記第２基地局装置へ送信し、
当該端末装置の前記端末制御部は、前記第２基地局装置から受信するユーザプレーンのダウンリンクハンドオーバ指示に応じて、ユーザプレーンのダウンリンクの無線通信を行う相手の基地局装置を前記第２基地局装置から前記第１基地局装置へ切り替えるハンドオーバを行い、ユーザプレーンのダウンリンクハンドオーバ完了を前記第１基地局装置へ送信し、
前記第２基地局装置の前記基地局制御部は、前記端末装置から受信する前記第４測定報告に応じて当該端末装置のユーザプレーンのダウンリンクハンドオーバ要求を前記第１基地局装置へ送信し、当該ダウンリンクハンドオーバ要求に対するダウンリンクハンドオーバ応答を前記第１基地局装置から受信すると、当該端末装置へユーザプレーンのダウンリンクハンドオーバ指示を送信し、
前記第１基地局装置の前記基地局制御部は、前記第２基地局装置から受信する前記端末装置のユーザプレーンのダウンリンクハンドオーバ要求に応じて、当該端末装置のユーザプレーンのダウンリンクハンドオーバ応答を前記第２基地局装置へ送信する、
請求項３に記載の無線通信システム。
【請求項５】
第１基地局装置と、第２基地局装置と、端末装置とを備え、
前記第１基地局装置のセルは、前記第２基地局装置のセルの全て又は一部を包含する無線通信システムのハンドオーバ方法であり、
前記第２基地局装置が、前記第１基地局装置との間でユーザプレーンのアップリンクの無線通信を行う前記端末装置の前記アップリンクの無線信号の自第２基地局装置における第１受信強度の測定を行うステップと、
前記第２基地局装置が、前記第１受信強度の測定結果が所定の第１閾値に対して第１閾値未満から第１閾値超過に変化した前記端末装置についての第１測定報告を前記第１基地局装置へ送信するステップと、
前記第１基地局装置が、前記第２基地局装置から受信する前記端末装置についての前記第１測定報告に応じて当該端末装置のユーザプレーンのアップリンクハンドオーバ要求を前記第２基地局装置へ送信するステップと、
前記第２基地局装置が、前記第１基地局装置から受信する前記端末装置のユーザプレーンのアップリンクハンドオーバ要求に応じて、当該端末装置のユーザプレーンのアップリンクハンドオーバ応答を前記第１基地局装置へ送信するステップと、
前記第１基地局装置が、前記第２基地局装置へ送信した端末装置のアップリンクハンドオーバ要求に対するアップリンクハンドオーバ応答を前記第２基地局装置から受信すると、当該端末装置へユーザプレーンのアップリンクハンドオーバ指示を送信するステップと、
前記第１基地局装置との間でユーザプレーンのアップリンクの無線通信を行う前記端末装置が、前記第１基地局装置から受信するユーザプレーンのアップリンクハンドオーバ指示に応じて、ユーザプレーンのアップリンクの無線通信を行う相手の基地局装置を前記第１基地局装置から前記第２基地局装置へ切り替えるハンドオーバを行い、ユーザプレーンのアップリンクハンドオーバ完了を前記第２基地局装置へ送信するステップと、
を含むハンドオーバ方法。
【請求項６】
前記第２基地局装置が、自第２基地局装置との間でユーザプレーンのアップリンクの無線通信を行う前記端末装置の前記アップリンクの無線信号の自第２基地局装置における第２受信強度の測定を行うステップと、
前記第２基地局装置が、前記第２受信強度の測定結果が前記第１閾値に対して第１閾値超過から第１閾値未満に変化した前記端末装置についての第２測定報告を前記第１基地局装置へ送信するステップと、
前記第２基地局装置が、前記第１基地局装置へ送信した前記第２測定報告の対象の前記端末装置のユーザプレーンのアップリンクハンドオーバ要求を、前記第１基地局装置へ送信するステップと、
前記第１基地局装置が、前記第２基地局装置から受信する前記端末装置についての前記第２測定報告及び前記第２基地局装置から受信する当該端末装置のユーザプレーンのアップリンクハンドオーバ要求に応じて、当該端末装置のユーザプレーンのアップリンクハンドオーバ応答を前記第２基地局装置へ送信するステップと、
前記第２基地局装置が、前記第１基地局装置へ送信した端末装置のアップリンクハンドオーバ要求に対するアップリンクハンドオーバ応答を前記第１基地局装置から受信すると、当該端末装置へユーザプレーンのアップリンクハンドオーバ指示を送信するステップと、
前記第２基地局装置との間でユーザプレーンのアップリンクの無線通信を行う前記端末装置が、前記第２基地局装置から受信するユーザプレーンのアップリンクハンドオーバ指示に応じて、ユーザプレーンのアップリンクの無線通信を行う相手の基地局装置を前記第２基地局装置から前記第１基地局装置へ切り替えるハンドオーバを行い、ユーザプレーンのアップリンクハンドオーバ完了を前記第１基地局装置へ送信するステップと、
をさらに含む請求項５に記載のハンドオーバ方法。
【請求項７】
第１基地局装置と、第２基地局装置と、端末装置とを備え、
前記第１基地局装置のセルは、前記第２基地局装置のセルの全て又は一部を包含する無線通信システムのハンドオーバ方法であり、
前記端末装置が、前記第１基地局装置との間でユーザプレーンのダウンリンクの無線通信を行うステップと、
前記端末装置が、前記第２基地局装置から受信するユーザプレーンのダウンリンクの無線信号の自端末装置における第３受信強度の測定を行うステップと、
前記端末装置が、前記第３受信強度の測定結果が所定の第２閾値に対して第２閾値未満から第２閾値超過に変化したことの第３測定報告を前記第１基地局装置へ送信するステップと、
前記第１基地局装置が、前記端末装置から受信する前記第３測定報告に応じて当該端末装置のユーザプレーンのダウンリンクハンドオーバ要求を前記第２基地局装置へ送信するステップと、
前記第２基地局装置が、前記第１基地局装置から受信する前記端末装置のユーザプレーンのダウンリンクハンドオーバ要求に応じて、当該端末装置のユーザプレーンのダウンリンクハンドオーバ応答を前記第１基地局装置へ送信するステップと、
前記第１基地局装置が、前記第２基地局装置へ送信した端末装置のダウンリンクハンドオーバ要求に対するダウンリンクハンドオーバ応答を前記第２基地局装置から受信すると、当該端末装置へユーザプレーンのダウンリンクハンドオーバ指示を送信するステップと、
前記端末装置が、前記第１基地局装置から受信するユーザプレーンのダウンリンクハンドオーバ指示に応じて、ユーザプレーンのダウンリンクの無線通信を行う相手の基地局装置を前記第１基地局装置から前記第２基地局装置へ切り替えるハンドオーバを行い、ユーザプレーンのダウンリンクハンドオーバ完了を前記第２基地局装置へ送信するステップと、
を含むハンドオーバ方法。
【請求項８】
前記端末装置が、前記第２基地局装置との間でユーザプレーンのダウンリンクの無線通信を行うステップと、
前記端末装置が、前記第２基地局装置から受信するユーザプレーンのダウンリンクの無線信号の自端末装置における第４受信強度の測定を行うステップと、
前記端末装置が、前記第４受信強度の測定結果が前記第２閾値に対して第２閾値超過から第２閾値未満に変化したことの第４測定報告を前記第２基地局装置へ送信するステップと、
前記第２基地局装置が、前記端末装置から受信する前記第４測定報告に応じて当該端末装置のユーザプレーンのダウンリンクハンドオーバ要求を前記第１基地局装置へ送信するステップと、
前記第１基地局装置が、前記第２基地局装置から受信する前記端末装置のユーザプレーンのダウンリンクハンドオーバ要求に応じて、当該端末装置のユーザプレーンのダウンリンクハンドオーバ応答を前記第２基地局装置へ送信するステップと、
前記第２基地局装置が、前記第１基地局装置へ送信した端末装置のダウンリンクハンドオーバ要求に対するダウンリンクハンドオーバ応答を前記第１基地局装置から受信すると、当該端末装置へユーザプレーンのダウンリンクハンドオーバ指示を送信するステップと、
前記端末装置が、前記第２基地局装置から受信するユーザプレーンのダウンリンクハンドオーバ指示に応じて、ユーザプレーンのダウンリンクの無線通信を行う相手の基地局装置を前記第２基地局装置から前記第１基地局装置へ切り替えるハンドオーバを行い、ユーザプレーンのダウンリンクハンドオーバ完了を前記第１基地局装置へ送信するステップと、
をさらに含む請求項７に記載のハンドオーバ方法。
【発明の詳細な説明】
【技術分野】
【０００１】
本発明は、無線通信システム及びハンドオーバ方法に関する。
【背景技術】
【０００２】
従来、比較的大きいセル（以下、マクロセルと称する）を有する基地局装置（以下、マクロ基地局装置と称する）と、比較的小さいセル（以下、スモールセルと称する）を有する基地局装置（以下、スモール基地局装置と称する）とを備え、マクロセルがスモールセルの全て又は一部を包含するように、マクロセルとスモールセルとを配置する無線通信システムが知られている。このような無線通信システムにおいて、端末装置（user equipment：ＵＥ）が、ユーザプレーン（user plane：U-plane）のアップリンク（Uplink）の無線通信をスモールセルにより行い、また、ユーザプレーンのダウンリンク（Downlink）の無線通信をマクロセルにより行う無線通信方法が、例えば非特許文献１に開示されている。
【先行技術文献】
【非特許文献】
【０００３】
【非特許文献１】Federico Boccardi, Jeffrey Andrews, Hisham Elshaer, Mischa Dohler, Stefan Parkvall, Petar Popovski, Sarabjot Singh、“Why to Decouple the Uplink and Downlink in Cellular Networks and How To Do It”、IEEE Communications Magazine、Volume: 54、Issue: 3、March 2016.
【発明の概要】
【発明が解決しようとする課題】
【０００４】
上述した従来の無線通信方法において、ユーザプレーンのアップリンクとダウンリンクとで別々にハンドオーバを実現させることが一つの課題であった。
【０００５】
本発明は、このような事情を考慮してなされたものであり、その目的は、ユーザプレーンのアップリンクとダウンリンクとで別々にハンドオーバを実現させることにある。
【課題を解決するための手段】
【０００６】
（１）本発明の一態様は、第１基地局装置と、第２基地局装置と、端末装置とを備え、前記第１基地局装置のセルは、前記第２基地局装置のセルの全て又は一部を包含し、前記第２基地局装置は、前記第１基地局装置との間でユーザプレーンのアップリンクの無線通信を行う前記端末装置の前記アップリンクの無線信号の自第２基地局装置における第１受信強度の測定を行う測定部と、前記第１受信強度の測定結果が所定の第１閾値に対して第１閾値未満から第１閾値超過に変化した前記端末装置についての第１測定報告を前記第１基地局装置へ送信する測定報告部と、前記第１基地局装置から受信する前記端末装置のユーザプレーンのアップリンクハンドオーバ要求に応じて、当該端末装置のユーザプレーンのアップリンクハンドオーバ応答を前記第１基地局装置へ送信する基地局制御部と、を備え、前記第１基地局装置は、前記第２基地局装置から受信する前記端末装置についての前記第１測定報告に応じて当該端末装置のユーザプレーンのアップリンクハンドオーバ要求を前記第２基地局装置へ送信し、当該アップリンクハンドオーバ要求に対するアップリンクハンドオーバ応答を前記第２基地局装置から受信すると、当該端末装置へユーザプレーンのアップリンクハンドオーバ指示を送信する基地局制御部を備え、前記第１基地局装置との間でユーザプレーンのアップリンクの無線通信を行う前記端末装置は、前記第１基地局装置から受信するユーザプレーンのアップリンクハンドオーバ指示に応じて、ユーザプレーンのアップリンクの無線通信を行う相手の基地局装置を前記第１基地局装置から前記第２基地局装置へ切り替えるハンドオーバを行い、ユーザプレーンのアップリンクハンドオーバ完了を前記第２基地局装置へ送信する端末制御部を備える、無線通信システムである。
（２）本発明の一態様は、上記（１）の無線通信システムにおいて、前記測定部は、自第２基地局装置との間でユーザプレーンのアップリンクの無線通信を行う前記端末装置の前記アップリンクの無線信号の自第２基地局装置における第２受信強度の測定を行い、前記測定報告部は、前記第２受信強度の測定結果が前記第１閾値に対して第１閾値超過から第１閾値未満に変化した前記端末装置についての第２測定報告を前記第１基地局装置へ送信し、前記第２基地局装置の前記基地局制御部は、前記第１基地局装置へ送信した前記第２測定報告の対象の前記端末装置のユーザプレーンのアップリンクハンドオーバ要求を、前記第１基地局装置へ送信し、当該アップリンクハンドオーバ要求に対するアップリンクハンドオーバ応答を前記第１基地局装置から受信すると、当該端末装置へユーザプレーンのアップリンクハンドオーバ指示を送信し、前記第１基地局装置の前記基地局制御部は、前記第２基地局装置から受信する前記端末装置についての前記第２測定報告及び前記第２基地局装置から受信する当該端末装置のユーザプレーンのアップリンクハンドオーバ要求に応じて、当該端末装置のユーザプレーンのアップリンクハンドオーバ応答を前記第２基地局装置へ送信し、前記第２基地局装置との間でユーザプレーンのアップリンクの無線通信を行う前記端末装置の前記端末制御部は、前記第２基地局装置から受信するユーザプレーンのアップリンクハンドオーバ指示に応じて、ユーザプレーンのアップリンクの無線通信を行う相手の基地局装置を前記第２基地局装置から前記第１基地局装置へ切り替えるハンドオーバを行い、ユーザプレーンのアップリンクハンドオーバ完了を前記第１基地局装置へ送信する、無線通信システムである。
【０００７】
（３）本発明の一態様は、第１基地局装置と、第２基地局装置と、端末装置とを備え、前記第１基地局装置のセルは、前記第２基地局装置のセルの全て又は一部を包含し、前記第１基地局装置との間でユーザプレーンのダウンリンクの無線通信を行う前記端末装置は、前記第２基地局装置から受信するユーザプレーンのダウンリンクの無線信号の自端末装置における第３受信強度の測定を行う測定部と、前記第３受信強度の測定結果が所定の第２閾値に対して第２閾値未満から第２閾値超過に変化したことの第３測定報告を前記第１基地局装置へ送信する測定報告部と、前記第１基地局装置から受信するユーザプレーンのダウンリンクハンドオーバ指示に応じて、ユーザプレーンのダウンリンクの無線通信を行う相手の基地局装置を前記第１基地局装置から前記第２基地局装置へ切り替えるハンドオーバを行い、ユーザプレーンのダウンリンクハンドオーバ完了を前記第２基地局装置へ送信する端末制御部と、を備え、前記第１基地局装置は、前記端末装置から受信する前記第３測定報告に応じて当該端末装置のユーザプレーンのダウンリンクハンドオーバ要求を前記第２基地局装置へ送信し、当該ダウンリンクハンドオーバ要求に対するダウンリンクハンドオーバ応答を前記第２基地局装置から受信すると、当該端末装置へユーザプレーンのダウンリンクハンドオーバ指示を送信する基地局制御部を備え、前記第２基地局装置は、前記第１基地局装置から受信する前記端末装置のユーザプレーンのダウンリンクハンドオーバ要求に応じて、当該端末装置のユーザプレーンのダウンリンクハンドオーバ応答を前記第１基地局装置へ送信する基地局制御部を備える、無線通信システムである。
（４）本発明の一態様は、上記（３）の無線通信システムにおいて、前記第２基地局装置との間でユーザプレーンのダウンリンクの無線通信を行う前記端末装置の前記測定部は、前記第２基地局装置から受信するユーザプレーンのダウンリンクの無線信号の自端末装置における第４受信強度の測定を行い、当該端末装置の前記測定報告部は、前記第４受信強度の測定結果が前記第２閾値に対して第２閾値超過から第２閾値未満に変化したことの第４測定報告を前記第２基地局装置へ送信し、当該端末装置の前記端末制御部は、前記第２基地局装置から受信するユーザプレーンのダウンリンクハンドオーバ指示に応じて、ユーザプレーンのダウンリンクの無線通信を行う相手の基地局装置を前記第２基地局装置から前記第１基地局装置へ切り替えるハンドオーバを行い、ユーザプレーンのダウンリンクハンドオーバ完了を前記第１基地局装置へ送信し、前記第２基地局装置の前記基地局制御部は、前記端末装置から受信する前記第４測定報告に応じて当該端末装置のユーザプレーンのダウンリンクハンドオーバ要求を前記第１基地局装置へ送信し、当該ダウンリンクハンドオーバ要求に対するダウンリンクハンドオーバ応答を前記第１基地局装置から受信すると、当該端末装置へユーザプレーンのダウンリンクハンドオーバ指示を送信し、前記第１基地局装置の前記基地局制御部は、前記第２基地局装置から受信する前記端末装置のユーザプレーンのダウンリンクハンドオーバ要求に応じて、当該端末装置のユーザプレーンのダウンリンクハンドオーバ応答を前記第２基地局装置へ送信する、無線通信システムである。
【０００８】
（５）本発明の一態様は、第１基地局装置と、第２基地局装置と、端末装置とを備え、前記第１基地局装置のセルは、前記第２基地局装置のセルの全て又は一部を包含する無線通信システムのハンドオーバ方法であり、前記第２基地局装置が、前記第１基地局装置との間でユーザプレーンのアップリンクの無線通信を行う前記端末装置の前記アップリンクの無線信号の自第２基地局装置における第１受信強度の測定を行うステップと、前記第２基地局装置が、前記第１受信強度の測定結果が所定の第１閾値に対して第１閾値未満から第１閾値超過に変化した前記端末装置についての第１測定報告を前記第１基地局装置へ送信するステップと、前記第１基地局装置が、前記第２基地局装置から受信する前記端末装置についての前記第１測定報告に応じて当該端末装置のユーザプレーンのアップリンクハンドオーバ要求を前記第２基地局装置へ送信するステップと、前記第２基地局装置が、前記第１基地局装置から受信する前記端末装置のユーザプレーンのアップリンクハンドオーバ要求に応じて、当該端末装置のユーザプレーンのアップリンクハンドオーバ応答を前記第１基地局装置へ送信するステップと、前記第１基地局装置が、前記第２基地局装置へ送信した端末装置のアップリンクハンドオーバ要求に対するアップリンクハンドオーバ応答を前記第２基地局装置から受信すると、当該端末装置へユーザプレーンのアップリンクハンドオーバ指示を送信するステップと、前記第１基地局装置との間でユーザプレーンのアップリンクの無線通信を行う前記端末装置が、前記第１基地局装置から受信するユーザプレーンのアップリンクハンドオーバ指示に応じて、ユーザプレーンのアップリンクの無線通信を行う相手の基地局装置を前記第１基地局装置から前記第２基地局装置へ切り替えるハンドオーバを行い、ユーザプレーンのアップリンクハンドオーバ完了を前記第２基地局装置へ送信するステップと、を含むハンドオーバ方法である。
（６）本発明の一態様は、上記（５）のハンドオーバ方法において、前記第２基地局装置が、自第２基地局装置との間でユーザプレーンのアップリンクの無線通信を行う前記端末装置の前記アップリンクの無線信号の自第２基地局装置における第２受信強度の測定を行うステップと、前記第２基地局装置が、前記第２受信強度の測定結果が前記第１閾値に対して第１閾値超過から第１閾値未満に変化した前記端末装置についての第２測定報告を前記第１基地局装置へ送信するステップと、前記第２基地局装置が、前記第１基地局装置へ送信した前記第２測定報告の対象の前記端末装置のユーザプレーンのアップリンクハンドオーバ要求を、前記第１基地局装置へ送信するステップと、前記第１基地局装置が、前記第２基地局装置から受信する前記端末装置についての前記第２測定報告及び前記第２基地局装置から受信する当該端末装置のユーザプレーンのアップリンクハンドオーバ要求に応じて、当該端末装置のユーザプレーンのアップリンクハンドオーバ応答を前記第２基地局装置へ送信するステップと、前記第２基地局装置が、前記第１基地局装置へ送信した端末装置のアップリンクハンドオーバ要求に対するアップリンクハンドオーバ応答を前記第１基地局装置から受信すると、当該端末装置へユーザプレーンのアップリンクハンドオーバ指示を送信するステップと、前記第２基地局装置との間でユーザプレーンのアップリンクの無線通信を行う前記端末装置が、前記第２基地局装置から受信するユーザプレーンのアップリンクハンドオーバ指示に応じて、ユーザプレーンのアップリンクの無線通信を行う相手の基地局装置を前記第２基地局装置から前記第１基地局装置へ切り替えるハンドオーバを行い、ユーザプレーンのアップリンクハンドオーバ完了を前記第１基地局装置へ送信するステップと、をさらに含むハンドオーバ方法である。
【０００９】
（７）本発明の一態様は、第１基地局装置と、第２基地局装置と、端末装置とを備え、前記第１基地局装置のセルは、前記第２基地局装置のセルの全て又は一部を包含する無線通信システムのハンドオーバ方法であり、前記端末装置が、前記第１基地局装置との間でユーザプレーンのダウンリンクの無線通信を行うステップと、前記端末装置が、前記第２基地局装置から受信するユーザプレーンのダウンリンクの無線信号の自端末装置における第３受信強度の測定を行うステップと、前記端末装置が、前記第３受信強度の測定結果が所定の第２閾値に対して第２閾値未満から第２閾値超過に変化したことの第３測定報告を前記第１基地局装置へ送信するステップと、前記第１基地局装置が、前記端末装置から受信する前記第３測定報告に応じて当該端末装置のユーザプレーンのダウンリンクハンドオーバ要求を前記第２基地局装置へ送信するステップと、前記第２基地局装置が、前記第１基地局装置から受信する前記端末装置のユーザプレーンのダウンリンクハンドオーバ要求に応じて、当該端末装置のユーザプレーンのダウンリンクハンドオーバ応答を前記第１基地局装置へ送信するステップと、前記第１基地局装置が、前記第２基地局装置へ送信した端末装置のダウンリンクハンドオーバ要求に対するダウンリンクハンドオーバ応答を前記第２基地局装置から受信すると、当該端末装置へユーザプレーンのダウンリンクハンドオーバ指示を送信するステップと、前記端末装置が、前記第１基地局装置から受信するユーザプレーンのダウンリンクハンドオーバ指示に応じて、ユーザプレーンのダウンリンクの無線通信を行う相手の基地局装置を前記第１基地局装置から前記第２基地局装置へ切り替えるハンドオーバを行い、ユーザプレーンのダウンリンクハンドオーバ完了を前記第２基地局装置へ送信するステップと、を含むハンドオーバ方法である。
（８）本発明の一態様は、上記（７）のハンドオーバ方法において、前記端末装置が、前記第２基地局装置との間でユーザプレーンのダウンリンクの無線通信を行うステップと、前記端末装置が、前記第２基地局装置から受信するユーザプレーンのダウンリンクの無線信号の自端末装置における第４受信強度の測定を行うステップと、前記端末装置が、前記第４受信強度の測定結果が前記第２閾値に対して第２閾値超過から第２閾値未満に変化したことの第４測定報告を前記第２基地局装置へ送信するステップと、前記第２基地局装置が、前記端末装置から受信する前記第４測定報告に応じて当該端末装置のユーザプレーンのダウンリンクハンドオーバ要求を前記第１基地局装置へ送信するステップと、前記第１基地局装置が、前記第２基地局装置から受信する前記端末装置のユーザプレーンのダウンリンクハンドオーバ要求に応じて、当該端末装置のユーザプレーンのダウンリンクハンドオーバ応答を前記第２基地局装置へ送信するステップと、前記第２基地局装置が、前記第１基地局装置へ送信した端末装置のダウンリンクハンドオーバ要求に対するダウンリンクハンドオーバ応答を前記第１基地局装置から受信すると、当該端末装置へユーザプレーンのダウンリンクハンドオーバ指示を送信するステップと、前記端末装置が、前記第２基地局装置から受信するユーザプレーンのダウンリンクハンドオーバ指示に応じて、ユーザプレーンのダウンリンクの無線通信を行う相手の基地局装置を前記第２基地局装置から前記第１基地局装置へ切り替えるハンドオーバを行い、ユーザプレーンのダウンリンクハンドオーバ完了を前記第１基地局装置へ送信するステップと、をさらに含むハンドオーバ方法である。
【発明の効果】
【００１０】
本発明によれば、ユーザプレーンのアップリンクとダウンリンクとで別々にハンドオーバを実現させることができるという効果が得られる。
【図面の簡単な説明】
【００１１】
【図１】一実施形態に係る無線通信システムの構成例を示す図である。
【図２】一実施形態に係る端末装置１の構成例を示すブロック図である。
【図３】一実施形態に係るマクロ基地局装置３の構成例を示すブロック図である。
【図４】一実施形態に係るスモール基地局装置５の構成例を示すブロック図である。
【図５】一実施形態に係るハンドオーバ方法の説明図である。
【図６】一実施形態に係るアップリンクのハンドオーバ方法の例１を示すシーケンスチャートである。
【図７】一実施形態に係るアップリンクのハンドオーバ方法の例２を示すシーケンスチャートである。
【図８】一実施形態に係るダウンリンクのハンドオーバ方法の例１を示すシーケンスチャートである。
【図９】一実施形態に係るダウンリンクのハンドオーバ方法の例２を示すシーケンスチャートである。
【発明を実施するための形態】
【００１２】
以下、図面を参照し、本発明の実施形態について説明する。
図１は、一実施形態に係る無線通信システムの構成例を示す図である。図１において、無線通信システムは、端末装置１と、複数の基地局装置３，５とを備える。基地局装置（マクロ基地局装置）３は、比較的大きいセル（マクロセル）ＣＥＬＭを有する。基地局装置（スモール基地局装置）５は、比較的小さいセル（スモールセル）ＣＥＬＳを有する。本実施形態の一例として、図１に示すマクロセルＣＥＬＭは、スモールセルＣＥＬＳの全てを包含する。なお、マクロセルＣＥＬＭがスモールセルＣＥＬＳの一部を包含するようにしてもよい。本実施形態においては、マクロ基地局装置３が第１基地局装置に対応し、スモール基地局装置５が第２基地局装置に対応する。
【００１３】
端末装置１は、マクロセルＣＥＬＭに在圏している場合、マクロ基地局装置３と無線通信を行うことができる。端末装置１は、スモールセルＣＥＬＳに在圏している場合、スモール基地局装置５と無線通信を行うことができる。以下、マクロ基地局装置３とスモール基地局装置５とを特に区別しないときは基地局装置ＢＳと称する。端末装置１は、自己が接続する基地局装置ＢＳを介して、無線通信ネットワークの他の通信装置との間で通信を行ったり又はインターネット等の他の通信ネットワークにアクセスしたりすることができる。
【００１４】
図２は、本実施形態に係る端末装置１の構成例を示すブロック図である。図２において、端末装置１は、無線通信部１１と、端末制御部１２と、端末記憶部１３と、測定部２１と、測定報告部２２とを備える。無線通信部１１は、基地局装置ＢＳとの間で無線通信を行う。端末制御部１２は、端末装置１の制御を行う。端末記憶部１３は、端末情報１４等のデータを記憶する。端末情報１４は、自己の端末装置１がサポートする無線通信方式及び無線周波数帯等の無線通信リソースの情報などを含む端末装置１の情報である。測定部２１は、基地局装置ＢＳから受信するユーザプレーンのダウンリンクの無線信号の自端末装置１における受信強度の測定を行う。測定報告部２２は、測定部２１による受信強度の測定結果についての測定報告（Measurement Report）を基地局装置ＢＳへ送信する。
【００１５】
端末制御部１２、測定部２１及び測定報告部２２の機能は、端末装置１が備えるＣＰＵ（Central Processing Unit：中央演算処理装置）がコンピュータプログラムを実行することにより実現される。端末装置１は、例えば、スマートフォンやタブレット型のコンピュータ（タブレットＰＣ）等の携帯通信端末装置であってもよい。
【００１６】
図３は、本実施形態に係るマクロ基地局装置３の構成例を示すブロック図である。図３において、マクロ基地局装置３は、無線通信部３１と、通信部３２と、基地局制御部３３と、基地局記憶部３４とを備える。無線通信部３１は、端末装置１との間で無線通信を行う。通信部３２は、他の基地局装置３や無線通信システムの他の装置（図示せず）との間で通信を行う。基地局制御部３３は、マクロ基地局装置３の制御を行う。基地局記憶部３４は、端末情報３５及び基地局情報３６等のデータを記憶する。端末情報３５は、自マクロ基地局装置３の配下の端末装置１がサポートする無線通信方式及び無線周波数帯等の無線通信リソースの情報などを含む端末装置１の情報である。基地局情報３６は、自己のマクロ基地局装置３がサポートする無線通信方式及び無線周波数帯等の無線通信リソースの情報などを含むマクロ基地局装置３の情報である。基地局制御部３３の機能は、マクロ基地局装置３が備えるＣＰＵがコンピュータプログラムを実行することにより実現される。
【００１７】
図４は、本実施形態に係るスモール基地局装置５の構成例を示すブロック図である。図４において、スモール基地局装置５は、無線通信部５１と、通信部５２と、基地局制御部５３と、基地局記憶部５４と、測定部６１と、測定報告部６２とを備える。無線通信部５１は、端末装置１との間で無線通信を行う。通信部５２は、他の基地局装置３や無線通信システムの他の装置（図示せず）との間で通信を行う。基地局制御部５３は、スモール基地局装置５の制御を行う。基地局記憶部５４は、端末情報５５及び基地局情報５６等のデータを記憶する。端末情報５５は、マクロ基地局装置３及び自スモール基地局装置５の配下の端末装置１がサポートする無線通信方式及び無線周波数帯等の無線通信リソースの情報などを含む端末装置１の情報である。基地局情報５６は、マクロ基地局装置３及び自己のスモール基地局装置５がサポートする無線通信方式及び無線周波数帯等の無線通信リソースの情報などを含む基地局装置３の情報である。
【００１８】
測定部６１は、端末装置１から受信するユーザプレーンのアップリンクの無線信号の自スモール基地局装置５における受信強度の測定を行う。測定報告部６２は、測定部６１による受信強度の測定結果についての測定報告をマクロ基地局装置３へ送信する。基地局制御部５３、測定部６１及び測定報告部６２の機能は、スモール基地局装置５が備えるＣＰＵがコンピュータプログラムを実行することにより実現される。
【００１９】
次に図５及び図６から図９までを参照して本実施形態に係るハンドオーバ方法を説明する。図５は、本実施形態に係るハンドオーバ方法の説明図である。図６から図９までは、本実施形態に係るハンドオーバ方法の例を示すシーケンスチャートである。
【００２０】
［アップリンクのハンドオーバ方法の例１］
図５及び図６を参照して本実施形態に係るアップリンクのハンドオーバ方法の例１を説明する。図６は、本実施形態に係るアップリンクのハンドオーバ方法の例１を示すシーケンスチャートである。アップリンクのハンドオーバ方法の例１は、端末装置１がユーザプレーンのアップリンクの無線通信を行うセルを、マクロセルＣＥＬＭからスモールセルＣＥＬＳにハンドオーバする際の方法の一例である。
【００２１】
図５において、まず端末装置１は、マクロセルＣＥＬＭ内の位置Ｐ１に存在している。位置Ｐ１は、マクロセルＣＥＬＭの範囲内であって、スモールセルＣＥＬＳの範囲外の位置である。端末装置１は、位置Ｐ１において、マクロセルＣＥＬＭによりマクロ基地局装置３との間でユーザプレーンのアップリンクの無線通信を行っている。また、端末装置１は、位置Ｐ１において、マクロセルＣＥＬＭによりマクロ基地局装置３との間でコントロールプレーン（control plane：C-plane）の無線通信を行っている。次いで、端末装置１は、マクロセルＣＥＬＭによりマクロ基地局装置３との間でユーザプレーンのアップリンクの無線通信を継続しながら、位置Ｐ２に移動する。位置Ｐ２は、スモールセルＣＥＬＳの境界付近に在る。端末装置１は、位置Ｐ２において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行う。スモールセルＣＥＬＳの境界は、ユーザプレーンのアップリンクの無線通信を行うセルを切り替える境界（ＵＬ境界）に対応する。位置Ｐ１から位置Ｐ２に移動した端末装置１は、ユーザプレーンのアップリンクの無線通信を行うセルをマクロセルＣＥＬＭからスモールセルＣＥＬＳにハンドオーバする候補の端末装置１になる。
【００２２】
以下、図６を参照して、アップリンクのハンドオーバ方法の例１を説明する。図６において、マクロ基地局装置３は、サービングセルの基地局装置（ハンドオーバ元の基地局装置）である。スモール基地局装置５は、ターゲットセルの基地局装置（ハンドオーバ先の基地局装置）である。また、マクロ基地局装置３とスモール基地局装置５との間の通信は、各通信部３２，５２により行われる。また、マクロ基地局装置３とスモール基地局装置５とは、各無線通信部３１，５１により端末装置１の無線通信部１１との間で無線通信を行う。
【００２３】
（ステップＳ１１）  スモール基地局装置５の測定部６１は、マクロ基地局装置３の配下の端末装置１について、ユーザプレーンのアップリンクの無線信号の自スモール基地局装置５における受信強度（以下、第１受信強度と称する）の測定を行う。マクロ基地局装置３の配下の端末装置１についての情報は、端末情報５５に含まれる。測定報告部６２は、測定部６１による第１受信強度の測定結果ＵＬ＿ＲＸ１を測定時刻に関連付けて保持する。測定報告部６２は、一の端末装置１について、第１受信強度の測定結果ＵＬ＿ＲＸ１が所定の第１閾値ＴＨ１に対して第１閾値未満から第１閾値超過に変化したか否かを判断する。測定報告部６２は、第１受信強度の測定結果ＵＬ＿ＲＸ１が第１閾値ＴＨ１に対して第１閾値未満から第１閾値超過に変化した端末装置１についての測定報告（以下、第１測定報告と称する）をマクロ基地局装置３へ送信する。第１測定報告は、第１受信強度の測定結果ＵＬ＿ＲＸ１が第１閾値ＴＨ１に対して第１閾値未満から第１閾値超過に変化した端末装置１を識別する端末識別情報を含む情報である。マクロ基地局装置３は、スモール基地局装置５から端末装置１についての第１測定報告を受信する。
【００２４】
（ステップＳ１２）  マクロ基地局装置３の基地局制御部３３は、スモール基地局装置５から受信した端末装置１についての第１測定報告に応じて、当該端末装置１のユーザプレーンのアップリンクハンドオーバ要求（UL-HO request）をスモール基地局装置５へ送信する。スモール基地局装置５は、マクロ基地局装置３から端末装置１のユーザプレーンのアップリンクハンドオーバ要求を受信する。
【００２５】
（ステップＳ１３）  スモール基地局装置５の基地局制御部５３は、マクロ基地局装置３から受信した端末装置１のユーザプレーンのアップリンクハンドオーバ要求に応じて、当該端末装置１のユーザプレーンのアップリンクハンドオーバ応答（UL-HO Response）をマクロ基地局装置３へ返信する。マクロ基地局装置３は、スモール基地局装置５から端末装置１のユーザプレーンのアップリンクハンドオーバ応答を受信する。
【００２６】
（ステップＳ１４）  マクロ基地局装置３の基地局制御部３３は、スモール基地局装置５へ送信した端末装置１のアップリンクハンドオーバ要求に対するアップリンクハンドオーバ応答を当該スモール基地局装置５から受信すると、当該端末装置１へユーザプレーンのアップリンクハンドオーバ指示（UL-HO Command）を送信する。端末装置１は、マクロ基地局装置３からユーザプレーンのアップリンクハンドオーバ指示を受信する。
【００２７】
（ステップＳ１５）  端末装置１は、位置Ｐ２において、マクロ基地局装置３との間でユーザプレーンのアップリンクの無線通信を行っている。次いで、端末装置１の端末制御部１２は、マクロ基地局装置３からユーザプレーンのアップリンクハンドオーバ指示を受信すると、当該ユーザプレーンのアップリンクハンドオーバ指示に応じて、ユーザプレーンのアップリンクの無線通信を行う相手の基地局装置をマクロ基地局装置３からスモール基地局装置５へ切り替えるハンドオーバを行う。次いで、端末制御部１２は、ユーザプレーンのアップリンクハンドオーバ完了（UL-HO Confirm）をスモール基地局装置５へ送信する。スモール基地局装置５は、端末装置１からユーザプレーンのアップリンクハンドオーバ完了を受信する。スモール基地局装置５の基地局制御部５３は、端末装置１から受信したユーザプレーンのアップリンクハンドオーバ完了に応じて、当該端末装置１との間でユーザプレーンのアップリンクの無線通信を行うための制御を行う。
【００２８】
上述のアップリンクのハンドオーバ方法の例１によれば、位置Ｐ１から位置Ｐ２に移動した端末装置１について、ユーザプレーンのアップリンクの無線通信を行うセルをマクロセルＣＥＬＭからスモールセルＣＥＬＳにハンドオーバすることが実現される。
【００２９】
［アップリンクのハンドオーバ方法の例２］
図５及び図７を参照して本実施形態に係るアップリンクのハンドオーバ方法の例２を説明する。図７は、本実施形態に係るアップリンクのハンドオーバ方法の例２を示すシーケンスチャートである。アップリンクのハンドオーバ方法の例２は、端末装置１がユーザプレーンのアップリンクの無線通信を行うセルを、スモールセルＣＥＬＳからマクロセルＣＥＬＭにハンドオーバする際の方法の一例である。
【００３０】
図５において、まず端末装置１は、スモールセルＣＥＬＳ内の位置Ｐ５に存在している。位置Ｐ５は、マクロセルＣＥＬＭの範囲内であり且つスモールセルＣＥＬＳの範囲内の位置である。端末装置１は、位置Ｐ５において、スモールセルＣＥＬＳによりスモール基地局装置５との間でユーザプレーンのアップリンクの無線通信を行っている。また、端末装置１は、位置Ｐ５において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行っている。次いで、端末装置１は、スモールセルＣＥＬＳによりスモール基地局装置５との間でユーザプレーンのアップリンクの無線通信を継続しながら、位置Ｐ７に移動する。位置Ｐ７は、スモールセルＣＥＬＳの境界付近に在る。端末装置１は、位置Ｐ７において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行う。スモールセルＣＥＬＳの境界は、ユーザプレーンのアップリンクの無線通信を行うセルを切り替える境界（ＵＬ境界）に対応する。位置Ｐ５から位置Ｐ７に移動した端末装置１は、ユーザプレーンのアップリンクの無線通信を行うセルをスモールセルＣＥＬＳからマクロセルＣＥＬＭにハンドオーバする候補の端末装置１になる。
【００３１】
以下、図７を参照して、アップリンクのハンドオーバ方法の例２を説明する。図７において、スモール基地局装置５は、サービングセルの基地局装置（ハンドオーバ元の基地局装置）である。マクロ基地局装置３は、ターゲットセルの基地局装置（ハンドオーバ先の基地局装置）である。また、マクロ基地局装置３とスモール基地局装置５との間の通信は、各通信部３２，５２により行われる。また、マクロ基地局装置３とスモール基地局装置５とは、各無線通信部３１，５１により端末装置１の無線通信部１１との間で無線通信を行う。
【００３２】
（ステップＳ２１）  スモール基地局装置５の測定部６１は、自スモール基地局装置５の配下の端末装置１について、ユーザプレーンのアップリンクの無線信号の自スモール基地局装置５における受信強度（以下、第２受信強度と称する）の測定を行う。スモール基地局装置５の配下の端末装置１についての情報は、端末情報５５に含まれる。測定報告部６２は、測定部６１による第２受信強度の測定結果ＵＬ＿ＲＸ２を測定時刻に関連付けて保持する。測定報告部６２は、一の端末装置１について、第２受信強度の測定結果ＵＬ＿ＲＸ２が所定の第１閾値ＴＨ１に対して第１閾値超過から第１閾値未満に変化したか否かを判断する。測定報告部６２は、第２受信強度の測定結果ＵＬ＿ＲＸ２が第１閾値ＴＨ１に対して第１閾値超過から第１閾値未満に変化した端末装置１についての測定報告（以下、第２測定報告と称する）をマクロ基地局装置３へ送信する。第２測定報告は、第２受信強度の測定結果ＵＬ＿ＲＸ２が第１閾値ＴＨ１に対して第１閾値超過から第１閾値未満に変化した端末装置１を識別する端末識別情報を含む情報である。マクロ基地局装置３は、スモール基地局装置５から端末装置１についての第２測定報告を受信する。
【００３３】
（ステップＳ２２）  スモール基地局装置５の基地局制御部５３は、マクロ基地局装置３へ送信した第２測定報告の対象の端末装置１のユーザプレーンのアップリンクハンドオーバ要求（UL-HO request）を、マクロ基地局装置３へ送信する。マクロ基地局装置３は、スモール基地局装置５から端末装置１のユーザプレーンのアップリンクハンドオーバ要求を受信する。
【００３４】
（ステップＳ２３）  マクロ基地局装置３の基地局制御部３３は、スモール基地局装置５から受信した端末装置１についての第２測定報告及びスモール基地局装置５から受信した当該端末装置１のユーザプレーンのアップリンクハンドオーバ要求に応じて、当該端末装置１のユーザプレーンのアップリンクハンドオーバ応答（UL-HO Response）をスモール基地局装置５へ返信する。スモール基地局装置５は、マクロ基地局装置３から端末装置１のユーザプレーンのアップリンクハンドオーバ応答を受信する。
【００３５】
（ステップＳ２４）  スモール基地局装置５の基地局制御部５３は、マクロ基地局装置３へ送信した端末装置１のアップリンクハンドオーバ要求に対するアップリンクハンドオーバ応答を当該マクロ基地局装置３から受信すると、当該端末装置１へユーザプレーンのアップリンクハンドオーバ指示（UL-HO Command）を送信する。端末装置１は、スモール基地局装置５からユーザプレーンのアップリンクハンドオーバ指示を受信する。
【００３６】
（ステップＳ２５）  端末装置１は、位置Ｐ７において、スモールセルＣＥＬＳによりスモール基地局装置５との間でユーザプレーンのアップリンクの無線通信を行っている。次いで、端末装置１の端末制御部１２は、スモール基地局装置５からユーザプレーンのアップリンクハンドオーバ指示を受信すると、当該ユーザプレーンのアップリンクハンドオーバ指示に応じて、ユーザプレーンのアップリンクの無線通信を行う相手の基地局装置をスモール基地局装置５からマクロ基地局装置３へ切り替えるハンドオーバを行う。次いで、端末制御部１２は、ユーザプレーンのアップリンクハンドオーバ完了（UL-HO Confirm）をマクロ基地局装置３へ送信する。マクロ基地局装置３は、端末装置１からユーザプレーンのアップリンクハンドオーバ完了を受信する。マクロ基地局装置３の基地局制御部３３は、端末装置１から受信したユーザプレーンのアップリンクハンドオーバ完了に応じて、当該端末装置１との間でユーザプレーンのアップリンクの無線通信を行うための制御を行う。
【００３７】
上述のアップリンクのハンドオーバ方法の例２によれば、位置Ｐ５から位置Ｐ７に移動した端末装置１について、ユーザプレーンのアップリンクの無線通信を行うセルをスモールセルＣＥＬＳからマクロセルＣＥＬＭにハンドオーバすることが実現される。
【００３８】
［ダウンリンクのハンドオーバ方法の例１］
図５及び図８を参照して本実施形態に係るダウンリンクのハンドオーバ方法の例１を説明する。図８は、本実施形態に係るダウンリンクのハンドオーバ方法の例１を示すシーケンスチャートである。ダウンリンクのハンドオーバ方法の例１は、端末装置１がユーザプレーンのダウンリンクの無線通信を行うセルを、マクロセルＣＥＬＭからスモールセルＣＥＬＳにハンドオーバする際の方法の一例である。
【００３９】
図５において、まず端末装置１は、マクロセルＣＥＬＭ内の位置Ｐ１に存在している。位置Ｐ１は、マクロセルＣＥＬＭの範囲内であって、スモールセルＣＥＬＳの範囲外の位置である。端末装置１は、位置Ｐ１において、マクロセルＣＥＬＭによりマクロ基地局装置３との間でユーザプレーンのダウンリンクの無線通信を行っている。また、端末装置１は、位置Ｐ１において、マクロセルＣＥＬＭによりマクロ基地局装置３との間でコントロールプレーンの無線通信を行っている。次いで、端末装置１は、マクロセルＣＥＬＭによりマクロ基地局装置３との間でユーザプレーンのダウンリンクの無線通信を継続しながら、位置Ｐ３に移動する。位置Ｐ３は、スモールセルＣＥＬＳの範囲内であって、スモールセルＣＥＬＳの境界からある程度、スモールセルＣＥＬＳの中心側の位置である。端末装置１は、位置Ｐ３において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行う。位置Ｐ３に対応する境界は、ユーザプレーンのダウンリンクの無線通信を行うセルを切り替える境界（ＤＬ境界）に対応する。位置Ｐ１から位置Ｐ３に移動した端末装置１は、ユーザプレーンのダウンリンクの無線通信を行うセルをマクロセルＣＥＬＭからスモールセルＣＥＬＳにハンドオーバする候補の端末装置１になる。
【００４０】
以下、図８を参照して、ダウンリンクのハンドオーバ方法の例１を説明する。図８において、マクロ基地局装置３は、サービングセルの基地局装置（ハンドオーバ元の基地局装置）である。スモール基地局装置５は、ターゲットセルの基地局装置（ハンドオーバ先の基地局装置）である。また、マクロ基地局装置３とスモール基地局装置５との間の通信は、各通信部３２，５２により行われる。また、マクロ基地局装置３とスモール基地局装置５とは、各無線通信部３１，５１により端末装置１の無線通信部１１との間で無線通信を行う。
【００４１】
（ステップＳ３１）  端末装置１は、位置Ｐ３において、マクロセルＣＥＬＭによりマクロ基地局装置３との間でユーザプレーンのダウンリンクの無線通信を行っている。端末装置１の測定部２１は、スモール基地局装置５から受信するユーザプレーンのダウンリンクの無線信号の自端末装置１における受信強度（以下、第３受信強度と称する）の測定を行う。測定報告部２２は、測定部２１による第３受信強度の測定結果ＤＬ＿ＲＸ３を測定時刻に関連付けて保持する。測定報告部２２は、第３受信強度の測定結果ＤＬ＿ＲＸ３が所定の第２閾値ＴＨ２に対して第２閾値未満から第２閾値超過に変化したか否かを判断する。測定報告部２２は、第３受信強度の測定結果ＤＬ＿ＲＸ３が第２閾値ＴＨ２に対して第２閾値未満から第２閾値超過に変化したことの測定報告（以下、第３測定報告と称する）をマクロ基地局装置３へ送信する。第３測定報告は、第３受信強度の測定結果ＤＬ＿ＲＸ３が第２閾値ＴＨ２に対して第２閾値未満から第２閾値超過に変化した端末装置１を識別する端末識別情報を含む情報である。マクロ基地局装置３は、端末装置１から第３測定報告を受信する。
【００４２】
（ステップＳ３２）  マクロ基地局装置３の基地局制御部３３は、端末装置１から受信した第３測定報告に応じて、当該端末装置１のユーザプレーンのダウンリンクハンドオーバ要求（DL-HO request）をスモール基地局装置５へ送信する。スモール基地局装置５は、マクロ基地局装置３から端末装置１のユーザプレーンのダウンリンクハンドオーバ要求を受信する。
【００４３】
（ステップＳ３３）  スモール基地局装置５の基地局制御部５３は、マクロ基地局装置３から受信した端末装置１のユーザプレーンのダウンリンクハンドオーバ要求に応じて、当該端末装置１のユーザプレーンのダウンリンクハンドオーバ応答（DL-HO Response）をマクロ基地局装置３へ返信する。マクロ基地局装置３は、スモール基地局装置５から端末装置１のユーザプレーンのダウンリンクハンドオーバ応答を受信する。
【００４４】
（ステップＳ３４）  マクロ基地局装置３の基地局制御部３３は、スモール基地局装置５へ送信した端末装置１のダウンリンクハンドオーバ要求に対するダウンリンクハンドオーバ応答を当該スモール基地局装置５から受信すると、当該端末装置１へユーザプレーンのダウンリンクハンドオーバ指示（DL-HO Command）を送信する。端末装置１は、マクロ基地局装置３からユーザプレーンのダウンリンクハンドオーバ指示を受信する。
【００４５】
（ステップＳ３５）  端末装置１は、位置Ｐ３において、マクロ基地局装置３との間でユーザプレーンのダウンリンクの無線通信を行っている。次いで、端末装置１の端末制御部１２は、マクロ基地局装置３からユーザプレーンのダウンリンクハンドオーバ指示を受信すると、当該ユーザプレーンのダウンリンクハンドオーバ指示に応じて、ユーザプレーンのダウンリンクの無線通信を行う相手の基地局装置をマクロ基地局装置３からスモール基地局装置５へ切り替えるハンドオーバを行う。次いで、端末制御部１２は、ユーザプレーンのダウンリンクハンドオーバ完了（DL-HO Confirm）をスモール基地局装置５へ送信する。スモール基地局装置５は、端末装置１からユーザプレーンのダウンリンクハンドオーバ完了を受信する。スモール基地局装置５の基地局制御部５３は、端末装置１から受信したユーザプレーンのダウンリンクハンドオーバ完了に応じて、当該端末装置１との間でユーザプレーンのダウンリンクの無線通信を行うための制御を行う。
【００４６】
上述のダウンリンクのハンドオーバ方法の例１によれば、位置Ｐ１から位置Ｐ３に移動した端末装置１について、ユーザプレーンのダウンリンクの無線通信を行うセルをマクロセルＣＥＬＭからスモールセルＣＥＬＳにハンドオーバすることが実現される。
【００４７】
［ダウンリンクのハンドオーバ方法の例２］
図５及び図９を参照して本実施形態に係るダウンリンクのハンドオーバ方法の例２を説明する。図９は、本実施形態に係るダウンリンクのハンドオーバ方法の例２を示すシーケンスチャートである。ダウンリンクのハンドオーバ方法の例２は、端末装置１がユーザプレーンのダウンリンクの無線通信を行うセルを、スモールセルＣＥＬＳからマクロセルＣＥＬＭにハンドオーバする際の方法の一例である。
【００４８】
図５において、まず端末装置１は、スモールセルＣＥＬＳ内の位置Ｐ４に存在している。位置Ｐ４は、マクロセルＣＥＬＭの範囲内であり且つスモールセルＣＥＬＳの範囲内の位置である。端末装置１は、位置Ｐ４において、スモールセルＣＥＬＳによりスモール基地局装置５との間でユーザプレーンのダウンリンクの無線通信を行っている。また、端末装置１は、位置Ｐ４において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行っている。次いで、端末装置１は、スモールセルＣＥＬＳによりスモール基地局装置５との間でユーザプレーンのダウンリンクの無線通信を継続しながら、位置Ｐ６に移動する。位置Ｐ６は、スモールセルＣＥＬＳの範囲内であって、スモールセルＣＥＬＳの境界からある程度、スモールセルＣＥＬＳの中心側の位置である。端末装置１は、位置Ｐ６において、マクロセルＣＥＬＭによりマクロ基地局装置３との間でコントロールプレーンの無線通信を行い、且つ、スモールセルＣＥＬＳによりスモール基地局装置５との間でコントロールプレーンの無線通信を行う。位置Ｐ６に対応する境界は、ユーザプレーンのダウンリンクの無線通信を行うセルを切り替える境界（ＤＬ境界）に対応する。位置Ｐ４から位置Ｐ６に移動した端末装置１は、ユーザプレーンのダウンリンクの無線通信を行うセルをスモールセルＣＥＬＳからマクロセルＣＥＬＭにハンドオーバする候補の端末装置１になる。
【００４９】
以下、図９を参照して、ダウンリンクのハンドオーバ方法の例２を説明する。図９において、スモール基地局装置５は、サービングセルの基地局装置（ハンドオーバ元の基地局装置）である。マクロ基地局装置３は、ターゲットセルの基地局装置（ハンドオーバ先の基地局装置）である。また、マクロ基地局装置３とスモール基地局装置５との間の通信は、各通信部３２，５２により行われる。また、マクロ基地局装置３とスモール基地局装置５とは、各無線通信部３１，５１により端末装置１の無線通信部１１との間で無線通信を行う。
【００５０】
（ステップＳ４１）  端末装置１は、位置Ｐ６において、スモールセルＣＥＬＳによりスモール基地局装置５との間でユーザプレーンのダウンリンクの無線通信を行っている。端末装置１の測定部２１は、スモール基地局装置５から受信するユーザプレーンのダウンリンクの無線信号の自端末装置１における受信強度（以下、第４受信強度と称する）の測定を行う。測定報告部２２は、測定部２１による第４受信強度の測定結果ＤＬ＿ＲＸ４を測定時刻に関連付けて保持する。測定報告部２２は、第４受信強度の測定結果ＤＬ＿ＲＸ４が所定の第２閾値ＴＨ２に対して第２閾値超過から第２閾値未満に変化したか否かを判断する。測定報告部２２は、第４受信強度の測定結果ＤＬ＿ＲＸ４が第２閾値ＴＨ２に対して第２閾値超過から第２閾値未満に変化したことの測定報告（以下、第４測定報告と称する）をスモール基地局装置５へ送信する。第４測定報告は、第４受信強度の測定結果ＤＬ＿ＲＸ４が第２閾値ＴＨ２に対して第２閾値超過から第２閾値未満に変化した端末装置１を識別する端末識別情報を含む情報である。スモール基地局装置５は、端末装置１から第４測定報告を受信する。
【００５１】
（ステップＳ４２）  スモール基地局装置５の基地局制御部５３は、端末装置１から受信した第４測定報告に応じて、当該端末装置１のユーザプレーンのダウンリンクハンドオーバ要求（DL-HO request）をマクロ基地局装置３へ送信する。マクロ基地局装置３は、スモール基地局装置５から端末装置１のユーザプレーンのダウンリンクハンドオーバ要求を受信する。
【００５２】
（ステップＳ４３）  マクロ基地局装置３の基地局制御部３３は、スモール基地局装置５から受信した端末装置１のユーザプレーンのダウンリンクハンドオーバ要求に応じて、当該端末装置１のユーザプレーンのダウンリンクハンドオーバ応答（DL-HO Response）をスモール基地局装置５へ返信する。スモール基地局装置５は、マクロ基地局装置３から端末装置１のユーザプレーンのダウンリンクハンドオーバ応答を受信する。
【００５３】
（ステップＳ４４）  スモール基地局装置５の基地局制御部５３は、マクロ基地局装置３へ送信した端末装置１のダウンリンクハンドオーバ要求に対するダウンリンクハンドオーバ応答を当該マクロ基地局装置３から受信すると、当該端末装置１へユーザプレーンのダウンリンクハンドオーバ指示（DL-HO Command）を送信する。端末装置１は、スモール基地局装置５からユーザプレーンのダウンリンクハンドオーバ指示を受信する。
【００５４】
（ステップＳ４５）  端末装置１は、位置Ｐ６において、スモールセルＣＥＬＳによりスモール基地局装置５との間でユーザプレーンのダウンリンクの無線通信を行っている。次いで、端末装置１の端末制御部１２は、スモール基地局装置５からユーザプレーンのダウンリンクハンドオーバ指示を受信すると、当該ユーザプレーンのダウンリンクハンドオーバ指示に応じて、ユーザプレーンのダウンリンクの無線通信を行う相手の基地局装置をスモール基地局装置５からマクロ基地局装置３へ切り替えるハンドオーバを行う。次いで、端末制御部１２は、ユーザプレーンのダウンリンクハンドオーバ完了（DL-HO Confirm）をマクロ基地局装置３へ送信する。マクロ基地局装置３は、端末装置１からユーザプレーンのダウンリンクハンドオーバ完了を受信する。マクロ基地局装置３の基地局制御部３３は、端末装置１から受信したユーザプレーンのダウンリンクハンドオーバ完了に応じて、当該端末装置１との間でユーザプレーンのダウンリンクの無線通信を行うための制御を行う。
【００５５】
上述のダウンリンクのハンドオーバ方法の例２によれば、位置Ｐ４から位置Ｐ６に移動した端末装置１について、ユーザプレーンのダウンリンクの無線通信を行うセルをスモールセルＣＥＬＳからマクロセルＣＥＬＭにハンドオーバすることが実現される。
【００５６】
上述したように本実施形態によれば、ユーザプレーンのアップリンクとダウンリンクとで別々にハンドオーバを実現させることができる。これにより、例えば、ユーザプレーンのアップリンクの無線通信をスモールセルＣＥＬＳにより行い、且つ、ユーザプレーンのダウンリンクの無線通信をマクロセルＣＥＬＭにより行うことができる。ユーザプレーンのアップリンクの無線通信をスモールセルＣＥＬＳにより行い、且つ、ユーザプレーンのダウンリンクの無線通信をマクロセルＣＥＬＭにより行うことにより、例えば以下の効果１−３が得られる。
（効果１）  アップリンクのＳＮＲ（信号対雑音比）を向上させ、端末装置１の送信電力を低減させる効果が得られる。
（効果２）  電波干渉に関する無線環境の改善を図る効果が得られる。
（効果３）  アップリンクのデータレートの改善を図る効果が得られる。
【００５７】
以上、本発明の実施形態について図面を参照して詳述してきたが、具体的な構成はこの実施形態に限られるものではなく、本発明の要旨を逸脱しない範囲の設計変更等も含まれる。
【００５８】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６０】
１…端末装置、３…マクロ基地局装置、５…スモール基地局装置、１１，３１，５１…無線通信部、１２…端末制御部、１３…端末記憶部、２１，６１…測定部、２２，６２…測定報告部、３２，５２…通信部、３３，５３…基地局制御部、３４，５４…基地局記憶部
【図１】
2019068193.tif 000003
【図２】
2019068193.tif 000004
【図３】
2019068193.tif 000005
【図４】
2019068193.tif 000006
【図５】
2019068193.tif 000007
【図６】
2019068193.tif 000008
【図７】
2019068193.tif 000009
【図８】
2019068193.tif 000010
【図９】
2019068193.tif 000011